(57)【要約】【課題】  本発明は印刷物の印刷インキに含有する残留溶剤や植物油の酸敗により発生する臭気の問題点を解決するためになされたものであり、その課題とするところは、主要印刷方式の平版印刷に於いて、印刷物から発生する溶剤ガスなどの臭気成分を除去することが出来る人体に安全な環境調和型平版印刷インキ組成物を提供するものである。【解決手段】  平版印刷インキにトロポロン類、カルバクロール、テルペン類、セスキテルペン類、テルペンアルコール類、セスキテルペンアルコール類を含有し更には酸化チタンに含浸吸着処理することによって長期にわたり安定した脱臭・抗菌作用を有する安全性が高く環境調和型の平版印刷インキを得ることが可能となり、印刷物から発生する不快な臭気を長期に亘って防止することができる効果を奏す。【選択図】なし【特許請求の範囲】
【請求項１】
トロポロン類、カルバクロール、テルペン類、セスキテルペン類、テルペンアルコール類、セスキテルペンアルコール類から選ばれる１乃至複数の化合物を含有することを特徴とする平版印刷インキ組成物。
【請求項２】
酸化チタンにトロポロン類、カルバクロール、テルペン類、セスキテルペン類、テルペンアルコール類、セスキテルペンアルコール類から選ばれる１乃至複数の化合物を含浸処理した材料を含有することを特徴とする平版印刷インキ組成物。
【請求項３】
トロポロン類がα-ツヤプリシン、β-ツヤプリシン、γ-ツヤプリシン、β-ドラブリンであり、テルペン類がα−ピネン、β−ピネン、δ−ピネン、δ−３−カレン、カンフェン、サビネン、テルピノレン、ミルセン、リモネン、ヒノキオールであり、セスキテルペン類がδ−カジネン、β−カリオフィレン、α−コパエン、α−セドレン、βセドレン、ツヨプセン、α−ヒマカレン、β−ヒマカレン、α−ミューロレンであり、テルペンアルコール類がα−テルピネオール、テルピネン−４−オール、ボルネオール、マノオールであり、セスキテルペンアルコール類がα−オウデスモール、セドロール、ネロリドール、パチュロール、α−ビサボロール、ビリディフロロール、カジノールであることを特徴とする請求項１〜２記載の平版印刷インキ組成物。
【請求項４】
請求項１〜３いずれか記載の平版印刷インキを基材に印刷してなる印刷物。
【発明の詳細な説明】
【技術分野】
【０００１】
本発明は、印刷インキから発生する溶剤や植物油の酸敗物を分解または吸着し印刷物から発生する臭気を防止し、更には印刷物から強壮刺激作用や沈静作用の効果も奏することが出来る環境調和型平版印刷インキ組成物に関するものである。
【背景技術】
【０００２】
従来、平版印刷インキ に用いられていた溶剤は、石油系の炭化水素，アルコール、エステルなどがある。オフセットインキ業界はこれまでも地球環境や作業環境の改善に取り組んできた。従来のインキ溶剤にはその構成成分として芳香族系炭化水素が含まれていたが、現在ではパラフィン，ナフテンを主成分とした芳香族成分が１％以下のＡＦ(アロマフリー)ソルベントの使用が一般的である。ＡＦソルベントは低臭気，低皮膚刺激性，生分解性に優れているが、印刷物の残留溶剤が少なからず臭気を発する原因となっていた。
【０００３】
一方でオフセットインキには植物油成分としてアマニ油，桐油，大豆油等が用いられている。これらは乾性油，半乾性油と呼ばれるもので、インキそのものの流動性や印刷物の光沢，酸化重合による皮膜強度を維持する目的で添加されている。インキ中の石油系溶剤の全部または一部を大豆油に替えたものは大豆油インキとしてアメリカ大豆協会から認定を受けることができる。近年、環境問題，ＶＯＣ規制，大豆農業振興を背景として大豆油インキが主流になりつつある。現在、枚葉インキでは揮発成分である石油系溶剤を全く含まない植物油１００％のノンＶＯＣインキが開発されている。これらの植物油も不飽和脂肪酸の二重結合部分が酸化により分解し酸敗臭を発生する原因となる。
【０００４】
特開平６−６５０１８号公報に天然植物の精油成分をマイクロカプセル化したことを特徴とした防虫インキが抗菌作用を有する旨の技術が開示されており、食品などのパッケージング用段ボールなどに適用されている。段ボールへの印刷は一般に樹脂凸版を使用しフレキソ印刷方式で行ってなされるが、一般に印刷機の構造も平版印刷機に比べ複雑ではない。平版印刷機では、インキロールもフレキソ印刷に比べ多く印圧も高く印刷中にマイクロカプセルが破壊してしまし、抗菌作用を長期にわたって持続させることは困難であった。また、天然植物の精油成分をマイクロカプセル化することは容易ではなく一般に普及していない。
【特許文献１】特開平６−６５０１８号公報
【発明の開示】
【発明が解決しようとする課題】
【０００５】
本発明はこれらの問題点を解決するためになされたものであり、その課題とするところは、主要印刷方式の平版印刷に於いて、印刷物から発生する溶剤ガスなどの臭気成分を除去することが出来る、人体に安全な環境調和型平版印刷インキ組成物を提供するものである。
【課題を解決するための手段】
【０００６】
即ち本発明はトロポロン類、カルバクロール、テルペン類、セスキテルペン類、テルペンアルコール類、セスキテルペンアルコール類から選ばれる１乃至複数の化合物を含有することを特徴とする平版印刷インキ組成物に関する。
また、本発明は酸化チタンにトロポロン類、カルバクロール、テルペン類、セスキテルペン類、テルペンアルコール類、セスキテルペンアルコール類から選ばれる１乃至複数の化合物を含浸処理した材料を含有することを特徴とする平版印刷インキ組成物に関する。
さらに、本発明はトロポロン類がα-ツヤプリシン、β-ツヤプリシン、γ-ツヤプリシン、β-ドラブリンであり、テルペン類がα−ピネン、β−ピネン、δ−ピネン、δ−３−カレン、カンフェン、サビネン、テルピノレン、ミルセン、リモネン、ヒノキオールであり、セスキテルペン類がδ−カジネン、β−カリオフィレン、α−コパエン、α−セドレン、βセドレン、ツヨプセン、α−ヒマカレン、β−ヒマカレン、α−ミューロレンであり、テルペンアルコール類がα−テルピネオール、テルピネン−４−オール、ボルネオール、マノオールであり、セスキテルペンアルコール類がα−オウデスモール、セドロール、ネロリドール、パチュロール、α−ビサボロール、ビリディフロロール、カジノールであることを特徴とする上記平版印刷インキ組成物に関する。
さらに、本発明は上記平版印刷インキを基材に印刷してなる印刷物に関する。
【発明の効果】
【０００７】
本発明のトロポロン類、カルバクロール、テルペン類、セスキテルペン類、テルペンアルコール類、セスキテルペンアルコール類を含有し更には酸化チタンに含浸吸着処理することによって長期にわたり安定した脱臭・抗菌作用を有する安全性が高く環境調和型の平版印刷インキを得ることが可能となるという効果を奏し、印刷物から発生する不快な臭気を長期に亘って防止しアロマテラピーの効果も奏す。
【発明を実施するための最良の形態】
【０００８】
本発明はトロポロン類、カルバクロール及び又は、テルペン類、セスキテルペン類、テルペンアルコール類、セスキテルペンアルコール類が平版印刷インキに使用される石油系溶剤、植物油の酸敗ガスを効率良く分解することを見出し本発明に至った。
【０００９】
本発明のトロポロン類は、α-ツヤプリシン、β-ツヤプリシン、γ-ツヤプリシン、β-ドラブリンであり、テルペン類はα−ピネン、β−ピネン、δ−ピネン、δ−３−カレン、カンフェン、サビネン、テルピノレン、ミルセン、リモネン、ヒノキオールであり、セスキテルペン類はδ−カジネン、β−カリオフィレン、α−コパエン、α−セドレン、βセドレン、ツヨプセン、α−ヒマカレン、β−ヒマカレン、α−ミューロレンであり、テルペンアルコール類はα−テルピネオール、テルピネン−４−オール、ボルネオール、マノオールであり、セスキテルペンアルコール類はα−オウデスモール、セドロール、ネロリドール、パチュロール、α−ビサボロール、ビリディフロロール、カジノールであることが好ましい。
【００１０】
本発明で使用しうるトロポロン類、カルバクロール、テルペン類、セスキテルペン類、テルペンアルコール類、セスキテルペンアルコール類は単一成分でも効果を奏するが、複数の成分を混合することにより更に効果を奏する。これらの成分は平版印刷インキ中に０．００５〜１０重量％含有させることが好ましい。０．００５重量％以下では、所望の脱臭・抗菌効果が不十分であり、１０重量％以上ではインキの乾燥性などのインキ性能バランスが劣化する。
【００１１】
更に消臭・抗菌作用を持続させるために、平版印刷インキの顔料としても使用される酸化チタンに本発明のトロポロン類、カルバクロール、テルペン類、セスキテルペン類、テルペンアルコール類、セスキテルペンアルコール類を予め含浸処理させた形でインキに含有させることで酸化チタンから徐々にα-ツヤプリシン、β-ツヤプリシン、γ-ツヤプリシン、β-ドラブリン、カルバクロール、α−ピネン、β−ピネン、δ−ピネン、δ−３−カレン、カンフェン、サビネン、テルピノレン、ミルセン、リモネン、ヒノキオール、δ−カジネン、β−カリオフィレン、α−コパエン、α−セドレン、βセドレン、ツヨプセン、α−ヒマカレン、β−ヒマカレン、α−ミューロレン、α−テルピネオール、テルピネン−４−オール、ボルネオール、マノオール、α−オウデスモール、セドロール、ネロリドール、パチュロール、α−ビサボロール、ビリディフロロール、カジノールがインキから放出されることを見出し本発明に至った。
【００１２】
酸化チタンにトロポロン類、カルバクロール、テルペン類、セスキテルペン類、テルペンアルコール類、セスキテルペンアルコール類を含浸させる方法としては、一例として酸化チタン１０部に対して５〜８０部のトロポロン類、カルバクロール、テルペン類、セスキテルペン類、テルペンアルコール類、セスキテルペンアルコール類、ヒノキチオールをディスパーを用いて吸着処理することで得る。また、この含浸処理した酸化チタンを３本ロールで所定の粒度に練肉しインキに添加しても良いし、ディスパーで分散した状態のままでインキに添加した後練肉分散してインキ化することも可能である。
【００１３】
また、スルファミン酸、スルファミン酸アルカリ塩を０．２〜１０重量％、トルマリンといもいわれる珪酸塩類鉱物を０．２〜５重量％を必要に応じてインキに添加することにより更に脱臭・抗菌作用を効果的に得ることが出来る。
【００１４】
本発明の平版インキ組成物には必要に応じて、顔料（有色、無色）、ロジン変性フェノール樹脂・石油樹脂・アルキド樹脂・石油樹脂変性フェノール樹脂などの固形及び液状樹脂、植物油、植物油エステル、石油系溶剤、ゲル化剤，耐摩擦剤，ドライヤー、乳化調整剤等の印刷インキ用の添加剤を適宜使用することができる。ゲル化剤としてはアルキルアセトアセテート、アルミニウムジイソプロピレート等の一般的にアルミニウムキレートと呼ばれるもので、耐摩擦剤はポリエチレンワックス、ＰＴＦＥワックス、固形パラフィンワックスが例として挙げられる。平版インキを構成する材料は例示した材料に限定されるものではなく、その他公知の材料を適用し製造することができる。
無色の体質顔料等を使用すればクリアーなOPニスを製造することが出来る。この場合通常使用される平版インキを使用し最後に全面或いはスポットで本発明のＯＰニスを印刷することにより簡便に印刷物からの臭気を抑制し抗菌に優れた印刷物を得ることが出来る。
【００１５】
本発明のオフセットインキ組成物を製造するには、従来公知の方法で実施することができる。一例としてロジン変性フェノール樹脂、石油系溶剤、植物油と必要に応じてゲル化剤を加え２００℃前後で１時間加熱してワニスを得る。このワニスに無色または有色顔料を３本ロール、ビーズミル等で練肉分散させたインキベースに本発明のトロポロン類、カルバクロール、テルペン類、セスキテルペン類、テルペンアルコール類、セスキテルペンアルコール類を単独または酸化チタンに含浸させて添加し、耐摩擦剤等の添加剤を配合し、追加のワニスと溶剤で調製する。
【００１６】
また、本発明の平版インキ組成物としては、石油系溶剤を一切含有することなくインキ化することも可能であり、米国ＥＰＡで推奨されるインキのVOC測定法であるメソッド２４法に準拠した測定法で１１０℃１時間での加熱減量分が１重量％以下の平版印刷インキを得ることができる。
【００１７】
本発明の平版印刷インキ組成物を用い、紙、プラスチック、金属等の基材に平版印刷し印刷物を得る。
【実施例】
【００１８】
以下、実施例によって本発明のインキ溶剤とインキ組成物を詳細に説明するが、本発明の範囲はこれらの記載実施例に限定されるものではない。尚、以下の記述において「部」は重量部「％」は重量％を示す。
実施例１（酸化チタン処理）
δ−３−カレン、αピネン、α−セドレン、テルピネン−４−オール、セドロールを含有するヒノキ科のサイプレスから採取される精油とツヨプセン、カルバクロール、β-ツヤプリシン、β-ドラブリンを含有するヒバから採取される精油を１：１の比率で混合した精油１４０部とアナターゼ型酸化チタン１０部とをハイスピードミキサーを使用して均一に分散させ酸化チタン処理物１を得た。
同様にしてヒノキ科のシダーから抽出される精油と（β―カリオフィレン、α−コパエン、α−セドレン、β−セドレン、ツヨプセン、α−ミューロレン、セドロール含有）とツヨプセン、カルバクロール、β-ツヤプリシン、β-ドラブリンを含有するヒバから採取される精油を１：３の比率で混合した精油２４０部とアナターゼ型酸化チタン１０部とをハイスピードミキサーで均一分散後に石油樹脂ワニス（重量平均分子量１００００のＣ５系石油樹脂／大豆油）＝６５部／３５部）３０部と大豆油脂肪酸メチルエステルを８部加えた後に３本ロールで練肉しＧＲ（粒度）２以下の酸化チタン処理物２を得た。
【００１９】
実施例（インキ製造例）
ロジン変性フェノール樹脂ワニス１（重量平均分子量１８０００、軟化点１７５℃、酸価１９のロジン変性フェノール樹脂／大豆油／ＡＦソルベント５／アルミニウムキレート＝４５部／１２部／４２部／１部）とロジン変性フェノール樹脂ワニス２（重量平均分子量１８０００、軟化点１７５℃、酸価１９のロジン変性フェノール樹脂／大豆油／大豆油脂肪酸ブチルエステル／アルミニウムキレート＝５０部／２９部／２０部／１部）を用い、フタロシアニンブルー（東洋インキ製造株式会社製  ＬＩＯＮＯＬＢＬＵＥ ＦＧ７３３０）をそれぞれ表１に示す配合で混合した後、３本ロールで練肉して各インキベースを得た。次いで各インキベースに対し表１の配合で耐摩擦剤、金属ドライヤーなどを加え調製を行い、実施例Ａ〜Ｅ、比較例Ｆ〜Ｇの平版インキ組成物を得た。
【００２０】
【表１】
2005113069.tif 000002
【００２１】
各例で得られたインキの特性及び評価結果を表２に示した。評価測定方法は、以下の通りである。
【００２２】
（粘度）コーンプレート粘度計（英弘精機株式会社）２５℃で測定。
（乾燥性）各平版インキ組成物をＲＩテスター（株式会社明製作所製）にてコート紙に展色し、朝陽会乾燥試験機にて乾燥時間を測定した時間を表す。
（セット性）各平版インキ組成物をＲＩテスター（株式会社明製作所製）にてコート紙に展色した後、展色面に白紙（コート紙）を重ね自動インキセット試験機（豊栄精機株式会社製）を用いて白紙にインキが付着しなくなる迄に要した時間を測定した。
【００２３】
（臭気１）各平版インキ組成物を作製し１日後に、ＲＩテスター（株式会社明製作所製）にてコート紙に展色し、集気瓶に２４時間密閉保存した後の臭気を官能評価した。
臭気が少ない（１）←（３）→（５）臭気が酷いの５段階で評価した。
(臭気２)各平版インキ組成物を作製し３０日後に、ＲＩテスター（株式会社明製作所製）にてコート紙に展色し、集気瓶に２４時間密閉保存した後の臭気を官能評価した。
臭気が少ない（１）←（３）→（５）臭気が酷いの５段階で評価した。
【００２４】
【表２】
2005113069.tif 000003
【産業上の利用可能性】
【００２５】
本発明の素材を使用し親水性酸化チタン等に応用することによって水性二スを製造することができることから平版印刷の巾を更に広範囲に適用することも可能となる。